(57)【要約】【課題】従来の気泡管式水平器は見方によっては誤差が出やすいうえに、上から水平を確認する時は、上下を間違えると見ることが出来ない。【解決手段】気泡管の代わりに、透明な管に液体を５分の４くらい封入して接続管で接続して長円形にして透明な取り付け枠に固定する。これを水平にしてある台の上で左右の水頭の位置を管の表面に目盛として記す、次に上下を反対にして同じ作業を繰り返す。このように構成した水平器を、対象物に当てて記してある目盛と水頭を合わせれば、より正確な水平を出すすることが出来るし、上下どちらを使っても同じ結果になり、使いやすいし、既存の水平器に比べて太い管の中の水頭を見て水平を出すので見やすく誤差も出にくい。【選択図】図１
2015169651.tif 000002
【特許請求の範囲】
【請求項１】
内径９ｍｍ以上の透明な管の中に、液体を５分の４くらい封入して接続管で接続して、取り付け枠に長円形に取り付けた水平器。
【請求項２】
〔請求項１〕のようにした管を、丸みをもたせた長方形にして、取り付け枠に取り付けた水平器。
【請求項３】
〔請求項１〕のようにした管を、円にして、取り付け枠に取り付けた水平器。
【発明の詳細な説明】
【技術分野】
【０００１】    本発明は建設業や日曜大工などで使用する、水平器に関するものである。
【背景技術】
【０００２】    従来多く使われている水平器は、ガラス管内の液体に封じ込めた気泡が、目盛の間に来ているかを見て水平を確認するものであり、これを長方形の枠に固定したものが気泡管式水平器と呼ばれている、気泡管を９０°ずらしてもう１個つけて、垂直も確認できるようにしたものも多い。【０００３】
【特許文献１】  特許公開  ２０１２−１４１２２９
【発明の開示】
【発明が解決しようとする課題】
【０００４】  従来の気泡の位置を見て水平を出す水平器は、２ｃｍか３ｃｍ位のガラス管内に封じ込めた１ｃｍ強の小さな気泡の位置を見て水平を出すものであるから、使う人によって許容範囲に差があり誤差が出やすいうえ、水平器自体にも許容範囲が記載されている。そのため気泡の目盛も１ｍｍくらいの間隔で２重になっている。例えばよく使われている長さが６０ｃｍのもので精度０，１５°以内となっていたが、１０倍の６ｍでは１，５°となり大きな誤差となる。そのうえ、気泡自体が管の中なので横に細長いうえに、気泡管が水平器の真ん中に取り付けられているものが多く、上から気泡の動きを見るためには、上に開けられた小さな穴からは見えにくくて、誤差が出る原因の１つになっていた。１例を挙げれば。この気泡管式水平器だけを使って床を張った場合には、だんだんと誤差が拡大されて、床に置いたゴルフボールが転がる事になる。市販の製品で例を挙げれば、気泡管の長さが４センチなのに全長が１８０センチもあり、４５分の１の気泡管内の気泡の動きを見て全体を判断するものであるから、見方によっては誤差が拡大されやすい。【０００５】  既存の水平器の中には、見やすくするために、気泡管を上部に取り付けて、その上に蒲鉾型の凸レンズを取り付けて、気泡を真ん丸く拡大して、表面から見えるように改良されたものもあり使いやすくなった。【０００６】  また上から水平を見る場合に、上下を反対にすると気泡管を見ることが出来なくて不便である。【０００７】  本発明は、このような従来の水平器が有するような問題を解決しようとするものであり、見るところを大きくして、見方による誤差が少ない水平器で、そのうえ上下の区別をしなくても横から水平を見ることが可能であるうえに、水平器の上下の区別なく上からも水平を見ることが出来る水平器を提供することを目的とする。
【課題を解決するための手段】
【０００８】  そこで本発明は上記目的を達成するために、気泡を封じ込めたガラス管でなく、内径９ｍｍ以上の透明な合成樹脂あるいはガラス管の中に、粘度の低い液体を５分の４くらい封入して密閉する、但し、管のつなぎ目は液体が自由に流れるようにしておく。これを別に製作した透明な取り付け枠の中に、長円形になるように固定する、取り付け枠の長い方の上も下も開けておいて、上からでも液体の水頭を見られるようにしておく。このように構成したものを、あらかじめ他の方法で水平にしてある作業台の上に、長いほうを下にして置いて、管の中の液体の水頭が静止したら、静止位置を管の表面に目盛として記す、目盛は横と上から見えるように、管にぐるっと１周するようにつける。次に反対側の長いほうを下にして作業台の上に置いて、同じく液体の水頭が静止したら、静止位置を管の表面に目盛として記す。【０００９】  次にこの水平器の短いほうを下にして作業台の上に置いて、管の中の液体の水頭が静止したら、静止位置を管の表面に目盛として記す、次に短いほうの反対側を作業台の上に置いて、同じく液体の水頭が静止したら、静止位置を管の表面に目盛として記す。そのうえで管を挟み込むようにもう片方の取り付け枠を取り付ける。
【発明の効果】
【００１０】  上述したように本発明の水平器は、管の左右の長い間隔の水頭を目盛に合わせることで、結果的に枠を水平にするものであり、枠を対象物に当てれば正確に水平を出せる。太い管の中の水頭を目盛と合わせるのであるから、見やすくもあるし誤差も出にくい。液体を着色しておけばより一層見やすい。【００１１】  また透明の取り付け枠の長いほうを、管が見えるように開けてあることによって、上からでも水頭の位置が見やすく、正確な水平を出すことが出来るし、上下を反対にしても水平を出すことが可能である。【００１２】  この水平器で垂直を出すには、水平器の長いほうを対象物にあてて水頭と目盛をあわせるようにすれば垂直を出せるし、長い方のどちらを対象物にあてても、垂直を出すことが出来るので便利である。
【発明の実施するための最良の形態】
【００１３】  以下、本発明の実施の形態を図１から図７に基ずいて説明する。
【００１４】  図においては、１は液体を封入するための透明の管であり、中に粘度の低い液体２を封入して接続管３で接続する。
【００１５】  このようにした管を取り付け枠４に、長円形にして固定する。
【００１６】  次に、このように構成したものを、他の方法によって正確な水平を確保してある作業台に、長い方を下にして置いて、左右の水頭５が静止したら、水頭位置に合わせて管の表面に目盛６を記す
【００１７】こんどは長いほうの上下を逆にして同じ作業を繰り返す。
【００１８】  その次に、〔００１６〕でしたような作業を、こんどは短いほうを台の上に置き、水頭位置を管の表面に目盛として記す。
【００１９】また短いほうの上下を逆にして同じく管に水頭位置を目盛りとして記す。
このように構成されたものの取り付け枠４の反対側に、もう１方の取り付け枠４´を組みつける。
【００２０】  なお液体を封じ込めた管を取り付け枠に取り付ける形状は、丸みをもたせた長方形でも同じ効果があるし、取り付け枠は透明な材質で長方形でも良い。
【図面の簡単な説明】
【００２１】
【図１】  本発明の実施形態を示す正面図であり管の形状は長円形にしてある。
【図２】  〔図１〕を、上からみた図であるが、管と取り付け枠は離して位置関係がわかるようにしてある。
【図３】  〔図１〕の水平器で、垂直を出す様子の図である。
【図４】  管の水頭と目盛を示す。わかりやすいように水平が出ていない状態で示してある。
【符号の説明】
【００２２】１    透明な管
２    液体
３    接続管
４    取り付け枠
４´  反対側の取り付け枠
５    水頭面。（水平のときは目盛も同じところ）。
６    目盛
【図１】
2015169651.tif 000003
【図２】
2015169651.tif 000004
【図３】
2015169651.tif 000005
【図４】
2015169651.tif 000006